(57)【要約】【課題】多量の紙幣を連続的に入金処理することを可能とする。【解決手段】入金部１２０に堆積された紙幣Ｂを順次、内部へ搬送する送出機構１２５〜１２７、１２８、１２９と、入金部に堆積された紙幣を検知する、所定の位置に設置されたセンサ４０１と、入金処理中にあって、センサによる検知信号を用いて入金部に紙幣の追加補充を判断する制御部１０と、制御部の判断に応じて利用者へ紙幣の追加補充を通知する通知手段１９と、を有し、入金部に堆積された紙幣を内部に取り込んで入金処理する。【選択図】図４
2019061294.tif 000002
【特許請求の範囲】
【請求項１】
入金部に堆積された紙幣を内部に取り込んで入金処理する紙幣取扱装置であって、
該入金部に堆積された紙幣を順次、内部へ搬送する送出機構と、
該入金部に堆積された紙幣を検知する、所定の位置に設置されたセンサと、
入金処理中にあって、該センサによる検知信号を用いて該入金部に紙幣の追加補充を判断する制御部と、
該制御部の判断に応じて利用者へ紙幣の追加補充を通知する通知手段と、
を有する紙幣取扱装置。
【請求項２】
前記センサが紙幣を検知しなくなり、かつ該入金部に堆積された紙幣が無くなる前に、該制御部は、該入金部への紙幣の追加補充と判断する、
ことを特徴とする請求項１に記載の紙幣取扱装置。
【請求項３】
入金部に堆積された紙幣を内部に取り込んで入金処理する紙幣取扱装置であって、
該入金部に堆積された紙幣を順次、内部へ搬送する送出機構と、
該送出機構により送られる紙幣を計数する計数手段と、
該計数手段によって計数される紙幣の枚数が所定値を超えたかを判断する制御部と、
入金処理中にあって、該制御部が所定値を超えたと判断したとき、該制御部からの指示により利用者へ紙幣の追加補充を通知する通知手段と、
を有する紙幣取扱装置。
【請求項４】
利用者による入力を受ける操作部を有し、
前記制御部は、前記計数手段が前記所定値（第１の所定値）を計数したことを把握することができ、
該計数手段の計数値が該第１の所定値を超えたと判断した場合、該操作部から利用者の認証のための入力を許容する
ことを特徴とする請求項３に記載の紙幣取扱装置。
【請求項５】
前記通知手段は表示部であり、
該表示部は、前記入金部が設置された位置と同じ面であって前記入金部の付近に設置される、
ことを特徴とする請求項１に記載の紙幣取扱装置。
【請求項６】
前記センサは、前記入金部において堆積する紙幣の前端が接触する壁面にあって、所定の量の紙幣が残存する高さに設置される、
ことを特徴とする請求項１に記載の紙幣取扱装置。
【請求項７】
前記送出機構は、前記入金部に堆積した紙幣の、最底部の紙幣から１枚ずつ送り出すローラと、該入金部の紙幣の送出口に配置され、該ローラによって送り出される紙幣の端部に接触する羽根を備える羽根車と、を有し、
前記センサは、前記羽根よりも高い位置に設置される、
ことを特徴とする請求項１に記載の紙幣取扱装置。
【請求項８】
前記センサ（第１のセンサ）と、
前記第１のセンサよりも高い位置に設置された第２のセンサと、を有し、
前記制御部は、該第２のセンサが紙幣を検知せず、かつ該第１のセンサが紙幣を検知するとき、該通知手段に紙幣の追加補充の通知をする旨の指示をする、
ことを特徴とする請求項１に記載の紙幣取扱装置。
【請求項９】
利用者による入力を受け及び取引のための案内を表示する操作部を有し、
前記制御部は、前記計数手段が前記所定値（第１の所定値）、及び該第１の所定値よりも大きい第２の所定値を計数したことを把握することができ、
前記制御部が、該計数手段の計数値が該第１の所定値を超えたと判断した場合、該第２の所定値を超える紙幣の入金取引を実施するかの案内を前記操作部に表示し、
前記操作部から利用者による、該第２の所定値を超える紙幣の入金取引を継続するかの入力を許容する
ことを特徴とする請求項３に記載の紙幣取扱装置。
【請求項１０】
前記制御部は、前記計数手段が前記所定値（第１の所定値）、及び該第１の所定値よりも大きい第２の所定値を計数したことを把握することができ、
前記操作部から入力された認証の情報が該利用者に正当なものである場合、前記制御部は入金紙幣の枚数の制限を解除し、
前記操作部から入力された認証の情報が該利用者に正当なものでない場合、前記制御部は入金紙幣の枚数が前記第２の所定値を超える入金処理を停止する、
ことを特徴とする請求項４に記載の紙幣取扱装置。
【発明の詳細な説明】
【技術分野】
【０００１】
本発明は、紙幣取扱装置に係り、特に大量の紙幣を取り扱うことができる紙幣の入金処理に関するものである。
【背景技術】
【０００２】
現金自動取引装置（ＡＴＭ）で大量の紙幣を入金または出金したいという要求が増大している。この要求に応えるため、例えば、特許文献１には、１回の取引における支払限度額を超える金額の取引を可能とするために、１回の取引操作で紙幣の出金、受取を複数回連続して行い、その計数状況を表示部に表示する自動取引が開示されている。例えば、２５０万円の出金する場合、１００万円、１００万円、５０万円と、３回に分けて出金する旨を案内画面に表示し、更に現在何れに段階が処理中かを示すグラフをブリンンク表示することで、利用者に取引の進捗状況を知らせる、としている。
【先行技術文献】
【特許文献】
【０００３】
【特許文献１】特開平８−２２１４９９号公報
【発明の概要】
【発明が解決しようとする課題】
【０００４】
特許文献１には、多量の金額を出金する場合の処理について記載されているが、多量の紙幣を入金する場合の機構や処理については示唆がない。多量の紙幣を入金する場合、入金口に１回にセットできる紙幣の枚数には限度があるので、紙幣を何回かに分けて入金口に紙幣を追加的にセットすることになる。その場合、連続する紙幣のセットのための時間を出来るだけ短縮させて、取引時間の短縮化を図ることが望ましい。
【０００５】
本発明の目的は、多量の紙幣を連続的に入金処理することが可能な紙幣取扱装置を提供することにある。
【課題を解決するための手段】
【０００６】
本発明の好ましい例による紙幣取扱装置は、入金部に堆積された紙幣を内部に取り込んで入金処理する紙幣取扱装置であって、
該入金部に堆積された紙幣を順次、内部へ搬送する送出機構と、
該入金部に堆積された紙幣を検知する、所定の位置に設置されたセンサと、
入金処理中にあって、該センサによる検知信号を用いて該入金部に紙幣の追加補充を判断する制御部と、
該制御部の判断に応じて利用者へ紙幣の追加補充を通知する通知手段と、を有する紙幣取扱装置として構成される。
【０００７】
本発明の他の好ましい例による紙幣取扱装置は、入金部に堆積された紙幣を内部に取り込んで入金処理する紙幣取扱装置であって、
該入金部に堆積された紙幣を順次、内部へ搬送する送出機構と、
該送出機構により送られる紙幣を計数する計数手段と、
該計数手段によって計数される紙幣の枚数が所定値を超えたかを判断する制御部と、
入金処理中にあって、該制御部が所定値を超えたと判断したとき、該制御部からの指示により利用者へ紙幣の追加補充を通知する通知手段と、を有する紙幣取扱装置として構成される。
【発明の効果】
【０００８】
本発明によれば、多量の入金紙幣がある場合、入金口に逐次積み増された紙幣を順次内部に繰り込むことができ、入金取引の時間を長引かせることなく、多量の紙幣を入金処理することが可能である。
【図面の簡単な説明】
【０００９】
【図１】紙幣取扱装置の外観を示す図である。
【図２】紙幣取扱装置の制御構成を示すブロック図である。
【図３】紙幣入金機構１２の構成を示す斜視図である。
【図４】紙幣入金機構１２の構成を示す側断面図である。
【図５】状態表示部１９の表示例を示す図である。
【図６】入金処理における紙幣の追加補充の制御動作（例１）を示すフローチャートである。
【図７】入金処理における紙幣の追加補充の制御動作（例２）を示すフローチャートである。
【図８】入金処理における紙幣の追加補充の制御動作（例３）を示すフローチャートである。
【発明を実施するための形態】
【００１０】
以下、図面を参照して本発明の実施形態について詳述する。
【実施例１】
【００１１】
＜紙幣取扱装置の全体構成＞
図１は、紙幣の入出金を行う紙幣取扱装置の外観を示す。紙幣取扱装置において、入金部１２０は紙幣入金機構１２の一部であり、入金される紙幣がここにセットされる。入金処理の場合、入金部１２０に紙幣が堆積してセットされ、下方に位置する紙幣から順に一枚ずつ内部へ取り込まれる。出金部１４０は紙幣出金機構１４の一部であり、装置の内部より１枚ずつ繰り出される紙幣がここに集積される。なお、入金部と出金部とは別々の機構でなく、機構的に共通する１つの部位としてもよい。
【００１２】
カード出入口１５０は、利用者が所持する取引カード（例えばＩＣカード）を挿入又は排出する部位であり、その内部には取引カードに記録された情報を読み取るカード読取機構１５を備えている。
【００１３】
顧客操作部１６は例えば液晶タッチパネルであり、入金や出金等のための取引画面を表示する表示部と顧客の操作により入力できる入力部を備える。明細票口１７０は入金や出金の取引結果を印字した明細票を出力する部位であり、その内部には明細票に取引結果を印字する明細票発行機構１７を備えている。テンキー機構１８は、顧客が暗証番号や金額を入力する数字キーから成る入力部である。状態表示部１９は装置の動作状況や取引状況を表示する例えば液晶表示器である。状態表示部１９には図５に示すような装置の状況や顧客への指示が表示される。
【００１４】
顧客操作部１６が表示部を備えているので、本来的には装置の動作や取引状況を顧客操作部１６に表示することが可能であるが、あえて状態表示部１９を入金部１２０及び出金部１４０の近くに設けたのは、大量の紙幣を連続的に入金する場合、顧客に安心感を与え、操作性の向上を図るためである。即ち、入金や出金操作の手元と動作確認のための表示を余り離さないで、入金部１２０や出金部１４０と同じ操作面（水平面）上にあってそれらの近傍に配置することで、顧客が入金又は出金する紙幣からあまり目を離すことなく、状態表示部１９に表示される入金処理中又は出金処理中等の状態表示や、現在の入金枚数や出金枚数等の状況確認表示を容易に確認することができ、入力操作が必要な場合にはテンキー機構１８より入力することが可能である。これにより、顧客は視線をあまり動かすことなく入金取引の動作を速めることができる。
【００１５】
図２は、紙幣取扱装置の制御構成のブロック図を示す。  
制御部１０は上記各部（各機構を含む）を制御する部位であり、主にプログラムを実行するＣＰＵと、プログラムや取引に伴う種々のデータを記憶するメモリを有して構成される。顧客操作部１６は制御部１０からの指示に基づく取引情報を表示部に表示するとともに、入力部から入力される取引情報を制御部１０へ送る。インタフェース（Ｉ／Ｆ）部１１は、ネットワークを介して、制御部１０をホストコンピュータ等の上位装置に接続して、上位装置との間で取引に関する情報を送受信する。カード読取機構１５は、顧客のカードを読み込み、取引カードの情報およびエンボスの画像を取得する。
【００１６】
紙幣入金機構１２は、紙幣の枚数を計数し、金種や真偽の判定を行う鑑別部を有する。入金部１２０より搬送される紙幣はこの鑑別部で計数、鑑別されて、装置内部に備えられた収納庫に収納される（入金処理）。紙幣出金機構１３は、出金する紙幣を鑑別部で計数して出金部１３０へ繰り出す（出金処理）。明細票発行機構１７は、取引に関する情報を明細票に印字して、明細票口１７０より送出する。テンキー機構１８は顧客の暗証番号や金額などの入力に用いられる。
【００１７】
状態表示部１９の意義や機能は上述の通りである。図５に示すように、入金処理中は「入金中」が表示され、紙幣の積み増しが可能な状態であれば「積増し可能」が表示される。また、出金処理中は「出金中」を表示し、出金が終了した場合または一度紙幣を抜取る必要がある場合は「抜取り待ち」を表示する。いずれも制御部１０からの指示により表示される。
【００１８】
なお、上記の例では状態表示部１９として液晶表示器を用いるとしたが、他の表示手段を用いてもよい。例えば、図５の表示項目を表面に予め用意しておき、表示項目対応にＬＥＤを設けて、該当する表示項目のＬＥＤを点灯するように制御することも可能である。また、他の例として、入金した紙幣の枚数を液晶表示器である状態表示部１９に数字表示、又はインジケータ表示することも可能である。また、状態表示部１９の表示に合わせてスピーカ（不図示）から、図５と同様の音声案内をすることも可能である。
【００１９】
＜紙幣入金機構１２の詳細な構造＞
次に、図３及び図４を参照して、紙幣入金機構１２の詳細な構成について説明する。  
図３は入金部１２０において紙幣送出に関与するローラ構成を示す斜視図、図４は入金部１２０から上流側入金経路１８１への紙幣送出に関与する主要なローラ構成を示す断面図である。
【００２０】
図示のように、入金部１２０は、上部にシャッタがない構成となっており、入金処理中に追加の紙幣を積み増し易い構成となっている。入金部１２０は、上端側が開放された開口凹部１２１を備える。開口凹部１２１は、受け付けた紙幣Ｂを傾斜底面壁に堆積して保持し、凹部周囲の側壁１２２と紙幣端部側壁１２３とで紙幣Ｂを取り囲む。また、入金部１２０は、紙幣端部側壁１２３の下端と開口凹部１２１の傾斜底面壁とで送出経路部１２４を構成し、この送出経路部１２４で開口凹部１２１をその底部コーナーにおいて上流側入金経路（図示省略）に接続する。入金部１２０は、開口凹部１２１の傾斜底面壁に、紙幣送出第１ローラ１２５と、紙幣送出第２ローラ１２６と、紙幣送出第３ローラ１２７をそれぞれ複数備える。これら各送出ローラは、開口凹部１２１の傾斜底面からローラ周壁を突出させて、それぞれ回転する。
【００２１】
紙幣端部側壁１２３には、紙幣の量（おおよその枚数）を検知するセンサ４０１、例えば光学センサが設置される。厳密に言えば、センサ４０１は、紙幣の量（紙幣ｎ枚の如き）を直接に検知するわけではなく紙幣の有無を検知する。センサ４０１は底面（図示の開口凹部１２１）から所定の高さ、即ち底面からｎ枚の紙幣が堆積される位置（所定の位置）に設置される。従って、センサ４０１が紙幣を検知しているときには、制御部１０は紙幣がｎ枚以上堆積していると判断する。なお、センサ４０１の配置の意義やその作用については後述する。またセンサ４０１は紙幣入金機構１２に含まれるため、図２には図示していない。
【００２２】
なお、図示していないが、送出経路部１２４には、入金部１２０からの紙幣の送出を検知するセンサ（不図示）が設置される。このセンサが紙幣を検知しなくなると、制御部１０は入金部１２０に堆積した紙幣が全て無くなったと判断できる。
【００２３】
入金部１２０は、上記の各送出ローラを、図４に示す図中矢印方向に回転駆動して、開口凹部１２１に堆積済みの紙幣Ｂを、堆積下方側の紙幣Ｂから送出経路部１２４、延いてはこれに接続する上流側入金経路に一枚ずつ送り出す。紙幣送出第１ローラ１２５は、一部外周円弧の半径を他の円弧箇所の半径より大きくしているので、開口凹部１２１に堆積済みの紙幣Ｂを、上下動させつつ堆積下方側の紙幣Ｂから送出経路部１２４に送り出す。なお、入金部１２０は、紙幣送出第１ローラ１２５に並んで、真円状の紙幣送出第１補助ローラ１２５ａを備える。
【００２４】
この他、入金部１２０は、紙幣端部側壁１２３の下端側に、羽根車１２８を備える。この羽根車１２８は、図６に示すように、紙幣端部側壁１２３において複数配設され、紙幣端部側壁１２３の開口１２３ｈから、羽根１２９の先端を開口凹部１２１の内部に突出させている。こうして突出した羽根１２９は、開口凹部１２１に保持された紙幣Ｂに対して接触可能とされている。この羽根車１２８は、後述の制御部１０の制御を受けて、入金部１２０からの紙幣Ｂの送り出しに際して回転駆動し、その有する複数の羽根１２９を、開口凹部１２１で堆積した下方側の紙幣Ｂ、詳しくは紙幣Ｂの端部側に接触させる。
【００２５】
本実施例では、羽根車１２８を図４に示す図中矢印方向に回転させるので、羽根１２９は、開口凹部１２１で堆積した下方側の紙幣Ｂの端部に、羽根１２９を紙幣堆積の上方側から下方側に掛けて接触させる。このため、開口凹部１２１で堆積した紙幣Ｂは、紙幣送出第１ローラ１２５を始めとする送出ローラの回転と、羽根１２９の端部接触により、堆積下方側の紙幣Ｂから一枚ずつ、順次、送出経路部１２４に送出される。紙幣送出にあたり、開口凹部１２１で受け入れた紙幣Ｂが一枚であったり、堆積紙幣の最上部の紙幣Ｂが一枚残ることが有り得る。こうした一枚の紙幣Ｂが或いは数枚程度の紙幣Ｂが図示するように、仮に屈曲して上記の第１、第２の紙幣送出ローラと非接触となると、この紙幣Ｂは、紙幣先端を紙幣端部側壁１２３の外表面に接触させたまま停止姿勢を取り、開口凹部１２１に留まることがあり得る。入金部１２０は、こうした停止姿勢にある紙幣Ｂの紙幣端部に羽根１２９を上記したように接触させるので、紙幣Ｂは停止姿勢からその姿勢を変化させて、紙幣端部は開口凹部１２１の底部コーナーの側に押し付けられる。これにより、それまで停止姿勢にあったために送出ローラと非接触であった紙幣Ｂは、紙幣送出第１ローラ１２５と紙幣送出第２ローラ１２６のいずれか、或いは両者に接触する。
【００２６】
センサ４０１の設置場所及び設置高さの意義について説明する。  
入金部１２０に堆積される紙幣の量を精度よく検知するため、図示の例では、センサ４０１は、入金部１２０における紙幣が堆積される方向に延伸する壁面のうち、紙幣が送出される（繰出される）側の壁面に設けた。入金部１２０に堆積される紙幣を積み置く底面（上記開口凹部１２１）を、その送出方向へ傾斜させることで、多数の紙幣の先端を揃えることが容易となる。そのため、センサ４０１により、入金部１２０に堆積された紙幣の量をセンサ４０１により精度よく検知できる。なお、センサ４０１を設置する場所については上記の例に限定されず、例えば、紙幣Ｂが送出される方向と直角な壁面（紙幣の短幅側の壁面）に設置しても紙幣の量を検知することができる。
【００２７】
センサ４０１の設置高さについて言えば、センサ４０１は、紙幣を送出する羽根車１２８の羽根１２９の先端の高さよりも高い位置が好ましい。即ち、入金部１２０に積まれた紙幣を、羽根車１２８の羽根１２９が装置内部に送出中に、制御部１０より追加の紙幣の積み増し許可があった場合、顧客は追加すべき紙幣を送出中の紙幣の上に積むことになる。そのとき、追加の紙幣を掴んだ顧客の指が羽根１２９に接触すると、紙幣の送出に支障が生じる恐れがある。そこで、センサ４０１の高さを根車１２８の羽根１２９の先端の高さよりも高い位置に設置しておき、その高さでの紙幣の有無を検知して、紙幣無しの場合に制御部１０が追加紙幣の積み増し「可」とすることで、顧客の指が羽根１２９に接触することを防止することができる。
【００２８】
制御部１０による追加紙幣の積み増しの可否の判断について述べる。  
センサ４０１は、入金部１２０に積まれる紙幣の量、即ち入金部１２０に積まれた紙幣が所定の高さに達してしているかを検知する。所定の高さに設置されたセンサ４０１が紙幣を検知したら、その検知信号が制御部１０へ転送される。これにより制御部１０は、入金部１２０に所定量（即ち所定枚数）の紙幣が堆積されているか否かを判断することが可能となり、センサ４０１の紙幣有無の検知結果に基づき、追加の紙幣の積み増しの可否を判断することができる。
【００２９】
例えば、センサ４０１が紙幣有りを検知した場合、入金部１２０には所定量（所定高さ）の紙幣が堆積しているので、制御部１０は紙幣積み増し「否」とする。一方、センサ４０１が紙幣無しを検知している場合、入金部１２０には所定量の紙幣が堆積されていないので、制御部１０は積み増し「可」とする。これにより、顧客による紙幣積み増しの回数（手間）を抑制しつつ、紙幣が無くなる前に追加紙幣の積み増しが可能となり、入金処理の効率を高めることが可能となる。
【００３０】
なお、図示の例では、入金部１２０の上部にシャッタを持たない構成としたが、シャッタを有している紙幣取扱装置の場合、制御部１０は、入金部１２０に積まれた紙幣を装置の内部に取り込む最中はシャッタを閉じるように制御し、追加の紙幣の積み増しを許可するときにシャッタを開くように制御してもよい。
【００３１】
＜センサ４０１の設置の他の例＞
この例は、２つのセンサを高さの異なる位置に設置した例である。例えば、羽根車１２８の羽根１２９の先端の高さよりも高い位置に第１のセンサ４０１を設置し（上記の例）、更にそれよりも高い位置に第２のセンサ４０２を設置する。
【００３２】
第２のセンサが紙幣有りを検知している場合、入金部１２０には第２の所定量の紙幣（十分な量の紙幣）が堆積しているので、制御部１０は紙幣の積み増し「否」と判断する。また、第２のセンサが紙幣無しを検知しかつ第１のセンサが紙幣有りを検知している場合、入金部１２０には第１の所定量の紙幣は堆積しているが、第２の所定量の紙幣が堆積していないので、制御部１０は、紙幣の積み増し「可」と判断する。また、第１のセンサが紙幣無しを検知している場合、入金部１２０には第１の所定量の紙幣が堆積していないので、制御部１０は、紙幣の積み増し「否」と判断する。これにより、顧客による追加の紙幣積み増しの手間（過剰な回数の積み増し）を抑制し、紙幣が無くなる前に追加紙幣の積み増しが可能となる。また、顧客の手が羽根車１２８のような紙幣送出ローラに接触するのを防止できる。
【００３３】
＜入金処理における紙幣の追加補充の制御動作（例１）＞
図６を参照して、入金処理における入金紙幣の追加補充の制御について説明する。  
この例は、図３又は図４において、紙幣の量を検知する１つのセンサ４０１が設置されていることを前提とする。また、各制御動作は制御部１０の制御による。この入金処理に至る動作は、周知のように、顧客が例えばＡＴＭの入金を選択し、取引カードをカード出入り口１５０から挿入し、テンキー機構１８から顧客の暗証番号を入力して、ホストコンピュータが当該暗証番号を基に正当な顧客である旨の判断を行って、当該顧客に入金取引が許可されたことを前提としている。
【００３４】
紙幣Ｂが入金部１２０の開口凹部１２１に積み上げられた状態で入金処理を開始する。ここで入金処理とは、入金部１２０から紙幣Ｂを内部に搬送して鑑別部で紙幣の金種や真偽の判定を行う動作を伴う。以下の例２及び例３でも同様である。このとき、状態表示部１９は「入金中」が表示している。入金処理が開始されると、紙幣送出第１ローラ１２５を始めとする送出ローラの回転と、羽根１２９の端部接触により、堆積下方側の紙幣Ｂから一枚ずつ順次、送出経路部１２４に送出される。紙幣Ｂの積み上げ高さは徐々に低くなる。この時、制御部１０は入金処理中であるかを確認する(Ｓ６０１)。入金処理中の確認は、例えば送出経路部１２４に設置されたセンサ（不図示）が入金部１２０から繰り出される紙幣を検知しているか、送出経路部１２４から紙幣の収納庫に至る搬送路に設置されたセンサ（不図示）が紙幣の存在を検知しているか、により行われる。確認の結果、入金処理中であることが分かると、センサ４０１の状態を確認する(Ｓ６０２)。この確認の結果、センサ４０１が紙幣Ｂを検知していたら（Ｓ６０２：ＹＥＳ）、センサ４０１が紙幣Ｂを検知し無くなるまで待機する。センサ４０１が紙幣の無くなったことを検知したら（Ｓ６０２：ＮＯ）、紙幣の追加補充が可能である旨（追加補充許可）をアナウンスする(Ｓ６０３)。このアナウンスは、制御部１０が状態表示部１９を「積み増し可能」に表示することで行われる。なお、スピーカにより同様の音声案内をしてもよい。
【００３５】
制御部１０は、紙幣Ｂが追加補充されたかを確認するため、センサ４０１が紙幣Ｂを検知しているかを確認する(Ｓ６０４)。この確認の結果、センサ４０１が紙幣Ｂを検知したら、紙幣Ｂが追加補充されたと判断して、追加補充許可のアナウンスを終了する(Ｓ６０５)。この場合、再びセンサ４０１が紙幣Ｂを検知しているかの動作を行う(Ｓ６０２)。その結果、センサ４０１が紙幣Ｂを検知していないと、入金処理が終わるまでセンサ４０１による紙幣の検知動作を繰り返す（Ｓ６０２〜Ｓ６０５）。一方、センサ４０１が紙幣を検知していない場合（Ｓ６０４：ＮＯ）、制御部１０は紙幣の入金処理中かを判断する（Ｓ６０６）。この判断は、例えば、入金部１２０の送出経路部１２４や紙幣の搬送路に設置されたセンサ（不図示）が紙幣を検知しているか否かに基づいて行われる。紙幣の入金処理中でない（即ち入金処理が終わった）場合、紙幣の追加補充許可のアナウンスを終了する(Ｓ６０７)。
【００３６】
例１の制御動作によれば、紙幣の追加補充が可能である旨を効果的に顧客に伝えることができ、取引時間の短縮や顧客の利便性を向上させることができる。また、状態表示部９を用いて紙幣の追加補充可能を案内することにより、顧客の操作性の一掃の向上が期待できる。
【００３７】
＜入金処理における紙幣の追加補充の制御動作（例２）＞
図７を参照して、入金処理における入金紙幣の追加補充の制御について説明する。  
例２は、入金部１２０における紙幣の量を検知する上記したセンサ４０１を用いず、紙幣入金機構１２が持つ鑑別部が計数する紙幣の枚数の情報を用いて、入金部１２０における紙幣の追加補充を制御する。なお、顧客により入力される暗証番号を基に入金取引が許可されるまでの処理は例１と同様である。
【００３８】
入金処理が開始されると、紙幣送出第１ローラ１２５等の回転と、羽根１２９の端部接触により、堆積下方側の紙幣Ｂから一枚ずつ順次、送出経路部１２４に送出され、鑑別部で紙幣の枚数が計数され、さらに紙幣の金種や真偽が判定される。鑑別部で計数される紙幣の枚数は順次更新されて、制御部１０が有するメモリに一時記憶される。
【００３９】
制御部１０は、紙幣の枚数が更新される度に、更新した紙幣の枚数が、予め定めた所定値を超えたかを判定する（Ｓ７０１）。この所定値は、紙幣の積み増しを判断する、上記した所定量に対応する。この判定の結果、更新した紙幣の枚数が所定値を超えていない場合、入金処理が継続しているかを確認して(Ｓ７０２)、Ｓ７０１の処理を繰り返す。一方、更新した紙幣の枚数が所定値を超えている場合、追加補充許可をアナウンスする(Ｓ７０３)。このアナウンスは上記例１と同様である。そして、紙幣の入金処理中かを確認して(Ｓ７０４)、入金処理が終わったら、追加補充許可のアナウンスを終了する（Ｓ７０５）。
【００４０】
例２によれば、センサ４０１を用いなくても、入金紙幣の枚数を判断の対象とすることで、追加補充許可の制御を行うことができる。ただし、センサ４０１が無いため、どれ程の紙幣が入金部１２０に積まれているのか、また、アナウンス後にどれ程の紙幣が積み増しされたのかが分からない。そこで、上記センサ４０１と組み合わせて、Ｓ７０３のアナウンス後にセンサ４０１の状態（即ちセンサ４０１が紙幣を検知しているか）を確認し、紙幣を検知しているならば、紙幣が追加補充されたと判断して、追加補充許可のアナウンスを終了するように制御してもよい。
【００４１】
＜入金処理における紙幣の追加補充の制御動作（例３）＞
図８を参照して、入金処理における入金紙幣の追加補充の制御について説明する。  
入金金額が非常に大きい場合、顧客は入金紙幣を何回かに分けて入金部に追加補充する必要がある。この場合、顧客による入金の継続可否を確認し、かつ継続のときは顧客の認証情報を入力させることで安全に入金処理を継続させることができる。然るに、入金の継続可否の判断を必要とする紙幣の枚数（以下、規定枚数という）の入金を受け付けた後に、継続可否の判断を行うと、継続可否の判断をしている間（顧客が個人認証に必要となる情報を準備する時間も含む）、入金処理を止めてしまうこととなり、取引時間が長引くことになる。
【００４２】
そこで、例３では、紙幣の入金の継続可否を判断する情報の入力を顧客に要求する第一の規定枚数と、第一の規定枚数よりも多い枚数であって入金の中断を判断する第二の規定枚数との、２つの規定枚数を用いて入金処理を実行する。第一の規定枚数及び第二の規定枚数は、紙幣入金機構１２が持つ鑑別部が計数する紙幣の逐次更新される合計枚数の情報である。
【００４３】
具体的には、入金処理において、鑑別部が計数する入金紙幣の枚数が第一の規定枚数を超えたかを判断する（Ｓ８０１）。なお、それ以前の処理、即ち顧客により入力される認証情報、例えば暗証番号を基に入金取引が許可されるまでの処理は例１と同様である。
【００４４】
上記判断の結果、入金紙幣の枚数が第一の規定枚数を超えた場合、制御部１０は、顧客操作部１６の表示部に、第二の規定枚数を超えた入金取引を実施するかの案内画面を表示する（Ｓ８０２）。この案内画面に従い、顧客操作部１６又はテンキー機構１８から、第二の規定枚数を超えた入金取引を継続する旨の入力があった場合（Ｓ８０３：ＹＥＳ）、制御部１０はＳ８０４以降の処理を実行し、継続しない旨の入力があった場合（Ｓ８０３：ＮＯ）、ステップＳ８０８の処理に移る。
【００４５】
顧客操作部１６又はテンキー機構１８から、第二の規定枚数を超えた入金取引を継続する旨の入力があった場合（Ｓ８０３：ＹＥＳ）、制御部１０は、顧客操作部１６に、顧客の認証情報を入力する旨の案内画面を表示する（Ｓ８０４）。ここで、認証情報とは、予めホストコンピュータの記憶部に登録された顧客に固有の情報である。認証情報は、例えば、最初に用いた暗証番号や、当該暗証番号とは異なる別の暗証番号、更には顧客の指の指紋情報や指静脈情報を用いることができる。もちろん、後者の情報を入力するために、指紋情報や指静脈情報の読取器が制御部１０に接続して設置される。
【００４６】
認証情報が入力されると、制御部１０はその認証情報をＩ／Ｆ部１１を介して、ホストコンピュータへ送信する。そしてホストコンピュータでは、その認証情報が当該顧客に正当な認証情報であるかを判断する（Ｓ８０５）。すなわち、予め記憶部に登録された認証情報と、今回受信した認証情報を照合することにより、今回の顧客が正当な顧客かを判断する。
【００４７】
制御部１０は、ホストコンピュータから判断の結果を受信し、正当な認証情報である場合には（Ｓ８０５：ＹＥＳ）、入金紙幣枚数の制限を解除し（Ｓ８０６）、入金処理を継続させる（Ｓ８０７）。すなわち、これにより顧客は、入金部１２０に紙幣を追加補充することができる。搬送路に設置した全てのセンサ（不図示）が紙幣の存在を検知している限り、入金処理が継続して行われる（Ｓ８０８：ＦＥＳ）。しかし、搬送路に設置した全てのセンサ（不図示）が紙幣の存在を検知しなくなったとき（Ｓ８０８：ＮＯ）、制御部１０は入金処理が終わったと判断して、入金処理を終了する（Ｓ８０９）。
【００４８】
先の判断で認証情報が正当でなかった場合（Ｓ８０５：ＮＯ）、制御部１０は、入金紙幣が第二の規定枚数を超えたかを判断する（Ｓ８１０）。その判断の結果、第二の規定枚数を超えていれば、入金処理を停止する（Ｓ８１１）。その後、ステップＳ８０５に移行する。なお、この結果、ステップＳ８０５〜Ｓ８１０乃至Ｓ８１１の間で処理が繰り返されることになるが、その場合には制御部１０は任意のタイミングで顧客操作部１６に「取消ボタン」を含む画面を表示して、顧客に「取消ボタン」を選択させることで、処理の繰り返しを解除するように制御することができる。
【００４９】
例えば、顧客が３００枚の紙幣を入金する場合、２００枚以上の取引の場合には個人認証（即ち認証情報の入力）が要求される例について説明する。ここで、１００枚を第一の規定枚数とし、２００枚を第二の規定枚数をする。制御部１０は、入金紙幣の枚数が１００枚を超えたときに２００枚の紙幣までは入金処理を継続しながら、並行して顧客操作部１６の表示部に２００枚以上の紙幣を入金する場合は個人認証が必要な旨の案内画面を表示する。併せて、個人認証に必要な認証情報の入力を要求する。そして、２００枚以上処理するのなら、顧客から受け付けた認証情報の認証結果に基づき、入金継続可否の判断をする。この制御により、２００枚処理する前に継続可否の判断が可能になる。２００枚の紙幣を処理する前に紙幣の入金処理が終わった場合、処理を止めることなく継続することが可能になる。また、仮に個人認証の処理に時間がかかり、２００枚の入金処理が終わり、一時的に入金処理が停止したとしても、この入金処理が停止してから個人認証を始めるよりは、全体的にかかる時間を短縮することができる。
【００５０】
また、紙幣入金機構１２が第一の規定枚数の紙幣を処理し、制御部１０が認証情報の入力を顧客に要求する際に、制御部１０は第二の規定枚数を超えるか入金があるかの確認を顧客操作部１６に表示して、顧客にその確認のための入力を求めてもよい。顧客から、第二規定枚数を超える入金がある旨の入力を受け付けた場合にのみ、制御部１０は、顧客に認証情報の入力を要求するようにしてもよい。これにより、顧客から不要な認証情報の入力を抑制することが可能となる。
【００５１】
また、第二の規定枚数を超えるか否かの判断を容易にできるようにするために、第二の規定枚数の紙幣を堆積した場合の高さを示す目印（表示）を入金部１２０の紙幣端部側壁１２３に表示してもよい。顧客が紙幣を入金部１２０に堆積したときに、認証情報の要否を予想することが可能となる。さらに第二の規定枚数と、第一の規定枚数の差分に基づく枚数の紙幣を堆積した場合の高さを示す目印を、同様にして紙幣端部側壁１２３に表示してもよい。制御部１０が顧客による認証情報の入力を要求する旨を顧客操作部１６に表示した時に、顧客は上記目印を基に認証情報の要否を予想することが可能となる。
【００５２】
更に、例３の変形例として、入金処理中に個人認証が必要な場合、上記のセンサ４０１の検知信号を用いて、入金処理の途中で顧客に対応を求めるアナウンスを行ってもよい。具体的には、入金処理中にセンサ４０１が紙幣無しを検知したときに、個人認証が必要な旨即ち認証情報の入力案内を表示する（Ｓ８０２）ようにしても良い。
【符号の説明】
【００５３】
１０：制御部            １１：Ｉ／Ｆ部
１２：紙幣入金機構      １２０：入金部        １４：紙幣出金機構    １４０：出金部
１５：カード読取機構    １５０：カード出入口  １６：顧客操作部
１７：明細票発行機構    １７０：明細票口      １８：テンキー機構
１９：状態表示部
４０１：センサ
【図１】
2019061294.tif 000003
【図２】
2019061294.tif 000004
【図３】
2019061294.tif 000005
【図４】
2019061294.tif 000006
【図５】
2019061294.tif 000007
【図６】
2019061294.tif 000008
【図７】
2019061294.tif 000009
【図８】
2019061294.tif 000010